(57)【要約】【課題】従来のスライドボリュームでは、操作部の設定位置しか確認することができず、設定値を確認するには目盛りから読み取るので、視認性が悪いという問題があった。また、設定値の確認を容易にするためには数値を表示するための７セグメントディスプレイなどを設けなければならないため、表示スペースが増大するという問題があった。そこで、視認性を向上させ、さらに、装置のコンパクト化を図ることができる表示装置付きスライドボリュームを提供することを目的とする。【解決手段】スライドボリュームにおいて、ボリューム部１８と、このボリューム部１８の上面に設けたスライド孔１３ａから突出しスライド操作可能な操作部１２からなり、この操作部１２に表示装置を備える。【選択図】図３
2010056350.tif 000002
【特許請求の範囲】
【請求項１】
ボリューム部の上面に設けた孔から突出した操作部を摺動して抵抗値を可変させるスライドボリュームにおいて、前記操作部に表示装置を備えたことを特徴とする表示装置付きスライドボリューム。
【請求項２】
前記表示装置は前記操作部のスライド操作に伴って表示が可変することを特徴とする請求項１記載の表示装置付きスライドボリューム。
【請求項３】
前記表示装置が液晶表示素子であることを特徴とする請求項１または請求項２の何れか一項記載の表示装置付きスライドボリューム。
【請求項４】
前記表示装置が有機発光素子であることを特徴とする請求項１または請求項２の何れか一項記載の表示装置付きスライドボリューム。
【発明の詳細な説明】
【技術分野】
【０００１】
本発明は、操作部のスライド操作に伴い抵抗値を可変させるスライドボリュームに係り、操作部に表示装置を備えたスライドボリュームに関するものである。
【背景技術】
【０００２】
従来のスライドボリュームは設定位置の確認手段として、操作部横にスライド方向に沿って目盛りを設けていた。
また、操作部に発光色の異なる一対のＬＥＤを備え、設定位置によって一対のＬＥＤを各別に発光させるものがあった。（下記特許文献１）
【特許文献１】実開昭６１−０３３６０４号
【発明の開示】
【発明が解決しようとする課題】
【０００３】
しかしながら、上記した従来のスライドボリュームでは、操作部の設定位置しか確認することができず、設定値を確認するには目盛りから読み取らなければならないので、視認性が悪いという問題があった。また、設定値の確認を容易にするためには数値を表示するための７セグメントディスプレイなどを設けなければならないため、表示スペースが増大するという問題があった。
【０００４】
そこで本発明は、上記状況に鑑みて、操作部に表示装置を備える表示装置付きスライドボリュームを提供することを目的とする。
【課題を解決するための手段】
【０００５】
本発明は、上記目的を達成するために、
〔１〕ボリューム部の上面に設けた孔から突出した操作部を摺動して抵抗値を可変させるスライドボリュームにおいて、前記操作部に表示装置を備えたことを特徴とする。
〔２〕上記〔１〕記載の表示装置付きスライドボリュームにおいて、前記表示装置は前記操作部のスライド操作に伴って表示が可変することを特徴とする。
〔３〕上記〔１〕または〔２〕の何れか一項記載の表示装置付きスライドボリュームにおいて、前記表示装置が液晶表示素子であることを特徴とする。
〔４〕上記〔１〕または〔２〕の何れか一項記載の表示装置付きスライドボリュームにおいて、前記表示装置が有機発光素子であることを特徴とする。
【発明の効果】
【０００６】
本発明によれば、次のような効果を奏することができる。
（１）操作部に表示装置を備えたので、多様な表示が可能となり、視認性を向上させることができる。。
（２）操作部に表示装置を備えたので、暗所でも設定位置や設定状態を確認することができる。
（３）操作部に表示装置を備えたので、操作パネルに目盛りや設定値を表示するスペースが不要であるため、装置をコンパクト化することができる。
（４）表示装置は操作部のスライド操作に伴って表示が可変するので、設定状態を確認しながら操作することが可能となり、視認性を向上させることができる。
【発明を実施するための最良の形態】
【０００７】
本発明は、ボリューム部の上面に設けた孔から突出した操作部を摺動して抵抗値を可変させるスライドボリュームにおいて、前記操作部に表示装置を備える。
【実施例】
【０００８】
以下、本発明の実施例について、図面を参照しながら詳細に説明する。
【０００９】
図１は本発明の実施例を表すスライドボリュームの平面図、図２は本発明の実施例を表すスライドボリュームの正面図、図３は本発明の実施例を表すスライドボリュームのＡ−Ａ断面図、図４は本発明の実施例を表すスライドボリュームのＢ−Ｂ断面図、図５は本発明の実施例を表すスライドボリュームの斜視図である。
【００１０】
これらの図において、１はケース、２は液晶表示素子、３はＩＣ（図示せず）が実装された第１のプリント基板、４は液晶表示素子２と第１のプリント基板３を接続するインターコネクタ、５は第１のプリント基板３に実装される発光素子、６は発光素子５の発光を拡散するディフューザ、７は第１のプリント基板３とディフューザ６が配設されるホルダ、８はホルダ７を固定するオサエ板、９は摺動子、１０は摺動子９に固着される板バネ、１１は第１のプリント基板３に実装されるフレキシブルプリント基板、１２は上記したケース１、液晶表示素子２、第１のプリント基板３、インターコネクタ４、発光素子５、ディフューザ６、ホルダ７、オサエ板８、摺動子９、板バネ１０及びフレキシブルプリント基板１１からなる操作部である。
【００１１】
また、１３はカバー、１４はベース、１５はベース１４に配設される第２のプリント基板、１６はフレキシブルプリント基板１１を接続するコネクタ、１７は第２のプリント基板１５に形成された抵抗パターン１５ａを外部と接続する端子、１８は上記したカバー１３、ベース１４、第２のプリント基板１５、コネクタ１６及び端子１７からなるボリューム部である。
【００１２】
発光素子５とフレキシブルプリント基板１１を実装した第１のプリント基板３をホルダ７の底面に嵌合させ、ホルダ７の上面にディフューザ６を配設する。インターコネクタ４をホルダ７内の第１のプリント基板３上に配設し、液晶表示素子２をホルダ７上にインターコネクタ４上と接触するように配設する。各部品を搭載したホルダ７をケース１下方から配設し、ケース１とオサエ板８でホルダ７を挟むようにオサエ板８配設し、ケース１とオサエ板８を嵌合させて固定する。
【００１３】
カバー１３上面に設けたスライド孔１３ａにオサエ板８の下部が突出するように配置し、カバー１３上面を挟むようにオサエ板８と板バネ１０を底面に固着した摺動子９とを嵌合する。
【００１４】
フレキシブルプリント基板１１をスライド孔１３ａ及び第２のプリント基板１５に設けた長孔１５ｂに通し、ベース１４に固着されたコネクタ１６に接続するとともに、第２のプリント基板１５をベース１４に形成した嵌合爪１４ｂにより嵌着する。このとき、端子１７はベース１４に設けた貫通孔（図示せず）に挿設し接着等により固定する。そして、カバー１３をベース１４を覆うように配設し、嵌合片１３ｂと嵌合溝１４ａを嵌合することにより、表示装置付きスライドボリュームが完成される。
【００１５】
以上のように構成された本発明の表示装置付きスライドボリュームは、操作部１２をスライドさせて、摺動子９の底面に固着された板バネ１０を第２のプリント基板１５に形成された抵抗パターン１５ａ上を摺動することにより抵抗値を可変させ、そのスライド操作に応じた表示をケース１に設けた表示窓１ａにより確認することができる。
【００１６】
このように、本実施例に示す表示装置付きスライドボリュームは、操作部１２に表示装置を備えたので、多様な表示が可能となり視認性が向上できるという特徴を有している。また、表示装置は発光するため、暗所でも設定位置や設定状態を確認できるという特徴を有している。
【００１７】
さらに、操作パネルに目盛りや設定値を表示するスペースが不要であるため、装置をコンパクト化することができるという特徴を有している。
【００１８】
さらに、表示装置は操作部のスライド操作に伴って表示が可変するので、設定状態を確認しながら操作することが可能となり、より視認性を向上させることができるという特徴を有している。
【００１９】
本実施例では、表示装置を液晶表示素子としているが、有機発光素子としてもよい。また、ボリューム部を抵抗パターン上を板バネが摺動する構成としているが、光量によって抵抗値が変化する素子を用いた光学式としてもよく、種々の方法が考えられる。
【００２０】
なお、本発明は上記の実施例に限定されるものではなく、本発明の趣旨に基づき種々の変形が可能であり、これらを本発明の範囲から排除するものではない。
【産業上の利用可能性】
【００２１】
本発明のスライドボリュームは、操作部に表示装置を備えた表示装置付きスライドボリュームとして利用可能である。
【図面の簡単な説明】
【００２２】
【図１】本発明の実施例を表す表示装置付きスライドボリュームの平面図である。
【図２】本発明の実施例を表す表示装置付きスライドボリュームの正面図である。
【図３】本発明の実施例を表す表示装置付きスライドボリュームのＡ−Ａ断面図である。
【図４】本発明の実施例を表す表示装置付きスライドボリュームのＢ−Ｂ断面図である。
【図５】本発明の実施例を表す表示装置付きスライドボリュームの斜視図である。
【符号の説明】
【００２３】
１      ケース
１ａ    表示窓
２      液晶表示素子
３      第１のプリント基板
４      インターコネクタ
５      発光素子
６      ディフューザ
７      ホルダ
８      オサエ板
９      摺動子
１０    板バネ
１１    フレキシブルプリント基板
１２    操作部
１３    カバー
１３ａ  スライド孔
１３ｂ  嵌合片
１４    ベース
１４ａ  嵌合溝
１４ｂ  嵌合爪
１５    第２のプリント基板
１５ａ  抵抗パターン
１５ｂ  長孔
１６    コネクタ
１７    端子
１８    ボリューム部
【図１】
2010056350.tif 000003
【図２】
2010056350.tif 000004
【図３】
2010056350.tif 000005
【図４】
2010056350.tif 000006
【図５】
2010056350.tif 000007